(57)【要約】排水可能な嵌合組立体を備える流量計が提示される。流量計は、加圧された流体の流路を提供する内部管と、内部管を収納するハウジング組立体と、パイプライン経路内で内部導管及びハウジング組立体を直列に固定する嵌合組立体とを備える。嵌合組立体は、リザーバー継手から流体を排水するタップを備える。タップは、取外し可能又は調節可能なプラグに噛み合うことができる。
2021530701.tif 000002
【特許請求の範囲】
【請求項１】
加圧された流体の流路を提供する内部管と、
前記内部管を収納するハウジング組立体と、
パイプライン経路内で前記内部導管及び前記ハウジング組立体を直列に固定する嵌合組立体とを具備し、
前記嵌合組立体が該嵌合組立体から流体を排水するタップを備える流量計。
【請求項２】
前記流路内に浮きを更に有し、該浮きは、前記流路内の流量を表示する請求項１に記載の流量計。
【請求項３】
前記流路内の前記浮きの位置に従って前記加圧された流体の圧力の可視インジケーターを提供する複数のマーカーを有する保護シールドを更に備える請求項１に記載の流量計。
【請求項４】
前記保護シールドは、前記内部管を収納する中間の管である請求項３に記載の流量計。
【請求項５】
前記保護シールドはポリカーボネート製である請求項３に記載の流量計。
【請求項６】
前記流量計は、前記パイプライン経路内で直列である状態で前記保護シールドの位置を調節することによって較正することができる請求項３に記載の流量計。
【請求項７】
前記ハウジング組立体はポリカーボネート製の窓を有する請求項１に記載の流量計。
【請求項８】
前記タップに噛み合うプラグを更に具備する請求項１に記載の流量計。
【請求項９】
別のパイプライン経路内で前記内部管及び前記ハウジング組立体を直列に固定する別の嵌合組立体を更に備え、前記嵌合組立体は、前記別の嵌合組立体から流体を排水する別のタップを備える請求項１に記載の流量計。
【請求項１０】
内部管を収納するハウジング組立体と、
パイプライン経路内で前記ハウジング組立体を直列に固定する嵌合組立体とを具備し、
前記嵌合組立体がリザーバー継手を排水するタップを備える前記リザーバー継手を備える流量計。
【請求項１１】
前記流路内に浮きを更に有し、該浮きは前記流路内の流量を表示する請求項１０に記載の流量計。
【請求項１２】
前記流路内の前記浮きの位置に従って前記加圧された流体の圧力の可視インジケーターを提供する複数のマーカーを有する保護シールドを更に備える請求項１０に記載の流量計。
【請求項１３】
前記保護シールドは、前記内部管を収納する中間の管である請求項１２に記載の流量計。
【請求項１４】
前記保護シールドはポリカーボネート製である請求項１２に記載の流量計。
【請求項１５】
前記流量計は前記パイプライン経路内で直列である状態で前記保護シールドの位置を調節することによって較正することができる請求項１２に記載の流量計。
【請求項１６】
前記ハウジング組立体はポリカーボネート製の窓を有する請求項１０に記載の流量計。
【請求項１７】
前記タップに噛み合うプラグを更に具備する請求項１０に記載の流量計。
【請求項１８】
別のパイプライン経路内で前記内部管及び前記ハウジング組立体を直列に固定する別の嵌合組立体を更に備え、前記嵌合組立体は、別のリザーバー継手と、前記別のリザーバー継手から流体を排水するタップとを備える請求項１０に記載の流量計。
【請求項１９】
加圧された流体の流路を提供する内部管であって、前記流路内の浮きが該流路内の前記流体の流量を表示するようにした内部管と、
前記流路内の前記浮きの位置に従って前記加圧された流体の流量の可視インジケーターを提供する複数のマーカーを有する保護シールドと、
前記内部導管を収納するハウジング組立体と、
パイプライン経路内で前記内部導管及び前記ハウジング組立体を直列に固定する嵌合組立体とを具備し、
前記嵌合組立体は該嵌合組立体から流体を排水するタップを備え、
該流量計は、前記保護シールドの位置を調節することによって較正することができる流量計。
【請求項２０】
前記タップはプラグと連結可能であり、前記流量計は前記パイプライン経路内で直列である状態で前記保護シールドの位置を調節することによって較正することができる請求項１９に記載の流量計。
【発明の詳細な説明】
【技術分野】
【０００１】
本開示は、包括的には、流路を通る流体の流量を測定するとともに、流量計を流路にしっかりと固定する嵌合組立体を有する流量計に関し、特に、排水リザーバーと、リザーバーを排水するタップ及びプラグとを備える嵌合組立体を有する流量計に関する。
【背景技術】
【０００２】
流量計は、あらゆる種類のシステムプロセスにおいて用いられる。流量計を用いることで、例えば、製造又は製作プロセスにおける重大局面での流体の流量をモニタリングするために、パイプを流れる流体の流量を測定することができる。流量計は、複雑なシステムプロセスの内部作用を覗く窓であり、プロセスにおいて不具合が生じているときに最初のインジケーターとなり得る。流量計を適切な機能状態で維持することは、製造及び製作プロセスによっては重大な意味を持ち得る。こうした流量計が用いられるシステムのタイプ及び環境条件は、千差万別で動的である可能性がある。流量計は、多くの部品から作られる複雑な製品であり得る。組み立てられて現場での使用のために配達されると、この製品は通常、使用者による組立て及び構成を過度に必要とすることなく、設置及び使用される。流量計に対する較正又は保守は、いかなる種類でも、熟練の技術者又は製造による一定量の技術を必要とする。流量計の複雑さ、流量計が用いられるシステム及び環境のダイナミクス、並びにプロセス内での流量計の重大な役割に起因して、保守がより簡単なバージョンの流量計が必要とされる。
【発明の概要】
【０００３】
一実施の形態において、排水可能な嵌合組立体を有する流量計が提示される。流量計は、加圧された流体の流路を提供する内部管と、内部導管を収納するハウジング組立体と、パイプライン経路内で内部導管及びハウジング組立体を直列に固定する嵌合組立体とを備える。嵌合組立体は、リザーバー継手から詰まった流体を排水するタップを備える。
【０００４】
更に別の実施の形態において、排水可能な嵌合組立体と調節可能な保護シールドとを有する流量計が提示される。流量計は、加圧された流体の流路を提供する内部管であって、流路内の浮きは、流路内の流体の流量を表示する、内部管と、流路内の浮きの位置に従って加圧された流体の流量の可視インジケーターを提供する複数のマーカーを有する保護シールドと、内部管を収納するハウジング組立体と、パイプライン経路内で内部導管及びハウジング組立体を直列に固定する嵌合組立体とを備えることができる。嵌合組立体は、ハウジング組立体から受け取った流体をリザーバー継手から排水するのタップを備える。流量計は、保護シールドの位置を調節することによって較正することができる。
【０００５】
上記実施の形態において、流量計は、流路内の流量を表示する流路内の浮きと、流路内の浮きの位置に従って加圧された流体の流量の可視インジケーターを提供する複数のマーカーを有する保護シールドとを備えることができる。保護シールドは、内部導管を収納する中間の導管とすることができる。保護シールドは、ポリカーボネート製とすることができる。流量計は、パイプライン経路内で直列である状態で保護シールドの位置を調節することによって較正することができる。ハウジング組立体は、ポリカーボネート製の窓を有することができる。タップは、プラグと連結可能とすることができ、取外し可能又は調節可能とすることができる。
【０００６】
更なる実施形態、利点、及び新規の特徴が詳細な説明に記載される。
【０００７】
本開示の特徴及び利点がより完全に理解されるように、ここで、添付の図とともに詳細な説明を参照する。添付の図において、異なる図における対応する数字は、対応する部分を指す。
【図面の簡単な説明】
【０００８】
【図１】或る特定の例示の実施形態に係る流量計の分解図である。
【図２】或る特定の例示の実施形態に係る、流量目盛りを有する保護シールドを有する組み立てられた流量計のセグメント図である。
【図３Ａ】或る特定の例示の実施形態に係る、排水リザーバー、タップ、及びプラグを有する流量計ハウジング及び嵌合組立体の等角部分分解図である。
【図３Ｂ】或る特定の例示の実施形態に係る、ハウジング組立体及び嵌合組立体の切取り部分図である。
【発明を実施するための形態】
【０００９】
本開示の様々な実施形態の作成及び使用について以下詳細に考察するが、本開示は、多種多様の具体的な状況で具現化することができる多くの適用可能な発明の概念を提供することが理解されるべきである。本明細書で考察する具体的な実施形態は、単に例示的なものであり、本開示の範囲を定めるものではない。明確にするために、本開示では、実際の実施態様の全ての特徴については記載していない場合がある。当然ながら、任意のこうした実際の実施形態の展開において、実施態様によって異なる、システム関連の制約及びビジネス関連の制約とのコンプライアンス等、開発者の具体的な目標を達成するために、多くの実施態様に特有の判断を行わなければならない。さらに、こうした開発努力は、複雑かつ時間がかかる可能性があるが、本開示の利益を有する当業者には日常的な業務である、ということが理解されよう。
【００１０】
ここで図１を参照すると、全体で１００として表記される、或る特定の例示の実施形態に係る流量計の分解図が示されている。流量計１００は、上下の嵌合組立体１０２と、ハウジング組立体１０４とを備える。この特定の流量計モデルの場合、嵌合組立体１０２は、排水リザーバー２と、タップ２ａ及びプラグ２ｂと、アダプター３と、エラストマーＯリング５と、入口/出口プロセス継手６、７と、ファイバースペーサー１４と、エラストマーＯリング４とを備えることができる。プロセス継手６、７は、鉛直なフランジ構成を含め、異なる構成とすることができる。図１では、鉛直なフランジ構成は、向きに応じて頂部又は底部に排水リザーバー２を有するプロセス継手６、７を含む。タップ２ａは、ねじ切り加工が施されたもの、又はねじ切り加工が施されていないものとすることができ、プラグは、ねじ、又はねじ切り加工が施されていないプラグとすることができる。プラグは、完全に取外し可能とすることができるか、又は単に調節可能とすることができる。タップ２ａ及びプラグ２ｂにはシーラントを用いることができ、プラグ２ｂは、金属、プラスチック、又は木とすることができる。流量計のタイプ及びモデルに応じて、明らかに入口プロセス継手６及び出口プロセス継手７の双方は、排水リザーバー２を必要としない。プロセス継手６、７及び排水リザーバーは、一体部片とすることができる、すなわち、プロセス継手６、７は実際にタップ２ａ及びプラグ２ｂを備えることができることも理解すべきである。ハウジング組立体１０４は、ハウジング１と、管１０と、流量目盛り１６、１７を有する調節可能なシールド１６と、スライダーリング２０及び締結具２１と、視界シールド２２及び締結具２３とを備えることができる。管１０は、硼珪酸ガラス製とすることができ、調節可能な流量目盛りを有するシールドは、ポリカーボネート製とすることができる。スライダーリング２０は、プラスチック製又は金属製とすることができる。
【００１１】
ここで図２を参照すると、或る特定の例示の実施形態に係る、流量目盛りを有する保護シールドを有する組み立てられた流量計１００のセグメント図が示されている。流量計１００は、締結具２１を操作し、シールドを調節位置に設定し、シールド１６を再び締結することによって調節することができる流量目盛りを有する調節可能なシールド１６を備える。シールド１６は、製造プロセスにおけるオフセットを補償するように調節することができる。したがって、既知のオフセットを受ける流体を処理するシステムは、流量目盛りを有するシールド１６を較正することによって補償することができる。このようにして、流量計１００を用いて、こうしたシステムを依然として正確にモニタリングすることができる。
【００１２】
ここで図３Ａ、３Ｂを参照すると、或る特定の例示の実施形態に係る、流量計１００のハウジング組立体１及び嵌合組立体１０２の等角部分分解図と、排水リザーバー２を備えるハウジング組立体１及び嵌合組立体１０２の切取り部分図とがそれぞれ示されている。排水リザーバー２は、引き抜くことで動作中に収集され得る流体をハウジング組立体１から排水することを可能にすることができるタップ２ａを備える。いくつかの動作設定において、流量計１００は、雨水又は凝縮液等の流体がハウジングの本体１内に詰まることになり得る環境及び／又は或る特定の動作状況にさらされる場合がある（図３Ｂの矢印参照）。捕捉された流体は、ハウジング１、キャップ２、プロセス継手６、及びシールド１６の間で詰まり、流量計１００又は内部部品に損傷を引き起こす可能性がある。これにより、流量計１００が不具合を起こし、したがって、安全が脅かされるおそれがある。しかしながら、詰まった流体は、排水リザーバー２を用いることによって容易に取り除くことができる。
【００１３】
本開示の実施形態の前述の説明は、例示及び説明のために提示した。この説明は、網羅的であることも、開示した正確な形態に本開示を制限することも意図しておらず、上記教示に鑑みて変更形態及び変形形態が可能であり、又は本開示の実践から得ることができる。当業者が、本開示を様々な実施形態において、想定される特定の使用に適合された様々な変更形態とともに利用することが可能になるように、本開示の原理及びその実際の応用を説明するために実施形態を選択及び説明した。本開示の範囲から逸脱することなく、実施形態の設計、動作状況及び配置構成において他の置換え、修正、変更及び省略を行うことができる。例示の実施形態及び他の実施形態のこのような変更形態及び組合せは、上記説明を参照すれば当業者にとって明白である。したがって、添付の特許請求の範囲は、そのような任意の変更形態又は実施形態を包含することが意図される。
【符号の説明】
【００１４】
１    ハウジング組立体
２    排水リザーバー
２ａ    タップ
２ｂ    プラグ
３    アダプター
４    エラストマーＯリング
５    エラストマーＯリング
６    入口プロセス継手
７    出口プロセス継手
１０    管
１４    ファイバースペーサー
１６    シールド
２０    スライダーリング
２１    締結具
２２    視界シールド
２３    締結具
１００    流量計
１０２    嵌合組立体
１０４    ハウジング組立体
【図１】
2021530701.tif 000003
【図２】
2021530701.tif 000004
【図３Ａ】
2021530701.tif 000005
【図３Ｂ】
2021530701.tif 000006
【国際調査報告】
2021530701.tif 000007
2021530701.tif 000008